(57)【特許請求の範囲】
【請求項１】
カスケード接続された走査線の駆動操作を行うための走査駆動回路であって、    
前レベルのダウンストリーム信号を受信し、前レベルのダウンストリーム信号によって対応する前記走査線の走査レベル信号を生成するプルアップ制御モジュールと、    
前記走査レベル信号及び現在のレベルのクロック信号によって対応する前記走査線の走査信号をプルアップするプルアップモジュールと、    
次の２レベルのクロック信号及び次の２レベルの走査信号によって対応する前記走査線の走査信号をプルダウンするプルダウンモジュールと、
対応する前記走査線の走査信号のローレベルを維持する、２つの交替作動する第１プルダウン維持ユニット及び第２プルダウン維持ユニットを含むプルダウン維持モジュールと、
次のレベルのプルアップ制御モジュールに現在のレベルのダウンストリーム信号を送信するダウンストリームモジュールと、及び、    
前記走査線の走査信号のハイレベルを生成するブートストラップコンデンサと、を含み、
前記プルアップ制御モジュールが走査レベル信号を生成する時に、前記プルアップ制御モジュール及び前記プルダウン維持モジュールは、一定のハイレベル電圧を使用して漏電現象の発生を防止し、前記プルダウンモジュールは、現在のレベルの走査信号を使用して漏電現象の発生を防止し、    
前記プルアップ制御モジュールは、第１スイッチトランジスタを含み、前記第１スイッチトランジスタの制御端は、前記前レベルのダウンストリーム信号を入力し、前記第１スイッチトランジスタの入力端は、前記一定のハイレベル電圧を入力し、前記第１スイッチトランジスタの出力端は、前記プルアップモジュールと、前記プルダウンモジュールと、前記プルダウン維持モジュールと、前記ダウンストリームモジュール及び前記ブートストラップコンデンサに接続すること、を特徴とする走査駆動回路。
【請求項２】
前記プルアップモジュールは、第２スイッチトランジスタを含み、前記第２スイッチトランジスタの制御端は、前記プルアップ制御モジュールの第１スイッチトランジスタの出力端に接続し、前記第２スイッチトランジスタの入力端は、前記現在のレベルのクロック信号を入力し、前記第２スイッチトランジスタの出力端は、現在のレベルの走査信号を出力すること、を特徴とする請求項１に記載の走査駆動回路。
【請求項３】
前記ダウンストリームモジュールは、第３スイッチトランジスタを含み、前記第３スイッチトランジスタの制御端は、前記プルアップ制御モジュールの第１スイッチトランジスタの出力端に接続し、前記第３スイッチトランジスタの入力端は、前記現在のレベルのクロック信号を入力し、前記第３スイッチトランジスタの出力端は、前記現在のレベルのダウンストリーム信号を出力すること、を特徴とする請求項１に記載の走査駆動回路。
【請求項４】
前記プルダウンモジュールは、第４スイッチトランジスタ及び第５スイッチトランジスタを含み、前記第４スイッチトランジスタの制御端は、前記次の２レベルの走査信号を入力し、前記第４スイッチトランジスタの入力端は、前記プルアップ制御モジュールの第１スイッチトランジスタの出力端に接続し、前記第４スイッチトランジスタの出力端は、前記第５スイッチトランジスタの入力端に接続し、前記第５スイッチトランジスタの制御端は、前記次の２レベルのクロック信号を入力し、前記第５スイッチトランジスタの出力端は、前記現在のレベルの走査信号を入力すること、を特徴とする請求項１に記載の走査駆動回路。
【請求項５】
前記プルダウン維持モジュールは、第６スイッチトランジスタと、第７スイッチトランジスタと、第８スイッチトランジスタと、第９スイッチトランジスタと、第１０スイッチトランジスタと、第１１スイッチトランジスタと、第１２スイッチトランジスタと、第１３スイッチトランジスタと、第１４スイッチトランジスタ及び第１５スイッチトランジスタと、を含み、    
前記第６スイッチトランジスタの制御端は、前記一定のハイレベル電圧を入力し、前記第６スイッチトランジスタの入力端は、前記一定のハイレベル電圧を入力、前記第６スイッチトランジスタの出力端は、前記第７スイッチトランジスタの出力端と、前記第８スイッチトランジスタの制御端及び第１０スイッチトランジスタの制御端とにそれぞれ接続し、
前記第７スイッチトランジスタの制御端は、前記第１スイッチトランジスタの出力端及び前記第１１スイッチトランジスタの制御端にそれぞれ接続し、前記第７スイッチトランジスタの入力端は、第１の一定のローレベル電圧に接続し、    
前記第８スイッチトランジスタの入力端は、前記一定のハイレベル電圧を入力し、前記第８スイッチトランジスタの出力端は、前記第９スイッチトランジスタの出力端と、前記第１４スイッチトランジスタの制御端及び前記第１５スイッチトランジスタの制御端とにそれぞれ接続し、
前記第９スイッチトランジスタの制御端は、前記第１スイッチトランジスタの出力端に接続し、前記第９スイッチトランジスタの入力端は、前記第１０スイッチトランジスタの出力端及び前記第１１スイッチトランジスタの出力端にそれぞれ接続し、    
前記第１０スイッチトランジスタの入力端は、前記一定のハイレベル電圧を入力し、    
前記第１１スイッチトランジスタの入力端は、第２の一定のローレベル電圧に接続し、
前記第１２スイッチトランジスタの制御端は、前記第１スイッチトランジスタの出力端に接続し、前記第１２スイッチトランジスタの入力端は、前記一定のハイレベル電圧を入力し、前記第１２スイッチトランジスタの出力端は、前記第１３スイッチトランジスタの出力端及び前記第１４スイッチトランジスタの出力端にそれぞれ接続し、    
前記第１３スイッチトランジスタの制御端は、前記第１５スイッチトランジスタの制御端に接続し、前記第１３スイッチトランジスタの入力端は、前記第２の一定のローレベル電圧に接続し、    
前記第１４スイッチトランジスタの入力端は、前記第１スイッチトランジスタの出力端に接続し、    
前記第１５スイッチトランジスタの入力端は、前記第１の一定のローレベル電圧に接続し、前記第１５スイッチトランジスタの出力端は、前記プルアップモジュールの第２スイッチトランジスタの出力端に接続すること、を特徴とする請求項１に記載の走査駆動回路。
【請求項６】
前記第１の一定のローレベル電圧は、第２の一定のローレベル電圧より大きいこと、を特徴とする請求項５に記載の走査駆動回路。
【請求項７】
前記ブートストラップコンデンサは、前記第１スイッチトランジスタの出力端及び前記プルアップモジュールの第２スイッチトランジスタの出力端の間に設置されること、を特徴とする請求項１に記載の走査駆動回路。
【請求項８】
前記プルダウンモジュールは、第４スイッチトランジスタ及び第５スイッチトランジスタを含み、前記第４スイッチトランジスタの制御端は、前記次の２レベルのクロック信号を入力し、前記第４スイッチトランジスタの入力端は、前記プルアップ制御モジュールの第１スイッチトランジスタの出力端に接続し、前記第４スイッチトランジスタの出力端は、前記第５スイッチトランジスタの入力端に接続し、前記第５スイッチトランジスタの制御端は、前記次の２レベルの走査信号を入力し、前記第５スイッチトランジスタの出力端は、前記現在のレベルの走査信号を入力すること、を特徴とする請求項１に記載の走査駆動回路。
【請求項９】
カスケード接続された走査線の駆動操作を行うための走査駆動回路であって、    
前レベルのダウンストリーム信号を受信し、前記前レベルのダウンストリーム信号によって対応する前記走査線の走査レベル信号を生成するプルアップ制御モジュールと、    
前記走査レベル信号及び現在のレベルのクロック信号によって、対応する前記走査線の走査信号をプルアップするプルアップモジュールと、    
次の２レベルのクロック信号及び次の２レベルの走査信号によって対応する前記走査線の走査信号をプルダウンするプルダウンモジュールと、    
対応する前記走査線の走査信号のローレベルを維持するプルダウン維持モジュールと、
次のレベルのプルアップ制御モジュールに現在のレベルのダウンストリーム信号を送信するダウンストリームモジュールと、及び、    
前記走査線の走査信号のハイレベルを生成するブートストラップコンデンサとを含み、  
前記プルアップ制御モジュールが走査レベル信号を生成する時に、前記プルアップ制御モジュール及び前記プルダウン維持モジュールは、一定のハイレベル電圧を使用して漏電現象の発生を防止し、前記プルダウンモジュールは、現在のレベルの走査信号を使用して漏電現象の発生を防止すること、を特徴とする走査駆動回路。
【請求項１０】
前記プルアップ制御モジュールは、第１スイッチトランジスタを含み、前記第１スイッチトランジスタの制御端は、前記前レベルのダウンストリーム信号を入力し、前記第１スイッチトランジスタの入力端は、前記一定のハイレベル電圧を入力し、前記第１スイッチトランジスタの出力端は、前記プルアップモジュールと、前記プルダウンモジュールと、前記プルダウン維持モジュールと、前記ダウンストリームモジュール及び前記ブートストラップコンデンサにそれぞれ接続すること、を特徴とする請求項９に記載の走査駆動回路。
【請求項１１】
前記プルアップモジュールは、第２スイッチトランジスタを含み、前記第２スイッチトランジスタの制御端は、前記プルアップ制御モジュールの第１スイッチトランジスタの出力端に接続し、前記第２スイッチトランジスタの入力端は、前記現在のレベルのクロック信号を入力し、前記第２スイッチトランジスタの出力端は、現在のレベルの走査信号を入力すること、を特徴とする請求項１０に記載の走査駆動回路。
【請求項１２】
前記ダウンストリームモジュールは、第３スイッチトランジスタと含み、前記第３スイッチトランジスタの制御端は、前記プルアップ制御モジュールの第１スイッチトランジスタの出力端に接続し、前記第３スイッチトランジスタの入力端は、前記現在のレベルのクロック信号を入力し、前記第３スイッチトランジスタの出力端は、前記現在のレベルのダウンストリーム信号を出力すること、を特徴とする請求項１０に記載の走査駆動回路。
【請求項１３】
前記プルダウンモジュールは、第４スイッチトランジスタ及び第５スイッチトランジスタを含み、前記第４スイッチトランジスタの制御端は、前記次の２レベルの走査信号を入力し、前記第４スイッチトランジスタの入力端は、前記プルアップ制御モジュールの第１スイッチトランジスタの出力端に接続し、前記第４スイッチトランジスタの出力端は、前記第５スイッチトランジスタの入力端に接続し、前記第５スイッチトランジスタの制御端は、前記次の２レベルのクロック信号を入力し、前記第５スイッチトランジスタの出力端は、前記現在のレベルの走査信号を入力すること、を特徴とする請求項１０に記載の走査駆動回路。
【請求項１４】
前記プルダウン維持モジュールは、第６スイッチトランジスタと、第７スイッチトランジスタと、第８スイッチトランジスタと、第９スイッチトランジスタと、第１０スイッチトランジスタと、第１１スイッチトランジスタと、第１２スイッチトランジスタと、第１３スイッチトランジスタと、第１４スイッチトランジスタ及び第１５スイッチトランジスタとを含み、    
前記第６スイッチトランジスタの制御端は、前記一定のハイレベル電圧を入力し、前記第６スイッチトランジスタの入力端は、前記一定のハイレベル電圧を入力し、前記第６スイッチトランジスタの出力端は、前記第７スイッチトランジスタの出力端と、前記第８スイッチトランジスタの制御端及び第１０スイッチトランジスタの制御端とにそれぞれ接続し、    
前記第７スイッチトランジスタの制御端は、前記第１スイッチトランジスタの出力端及び前記第１１スイッチトランジスタの制御端にそれぞれ接続し、前記第７スイッチトランジスタの入力端は、第１の一定のローレベル電圧に接続し、    
前記第８スイッチトランジスタの入力端は、前記一定のハイレベル電圧を入力し、前記第８スイッチトランジスタの出力端は、前記第９スイッチトランジスタの出力端と、前記第１４スイッチトランジスタの制御端及び前記第１５スイッチトランジスタの制御端に接続し、    
前記第９スイッチトランジスタの制御端、前記第１スイッチトランジスタの出力端に接続し、前記第９スイッチトランジスタの入力端は、前記第１０スイッチトランジスタの出力端及び前記第１１スイッチトランジスタの出力端にそれぞれ接続し、    
前記第１０スイッチトランジスタの入力端は、前記一定のハイレベル電圧を入力し、    
前記第１１スイッチトランジスタの入力端は、第２の一定のローレベル電圧に接続し、
前記第１２スイッチトランジスタの制御端は、前記第１スイッチトランジスタの出力端に接続し、前記第１２スイッチトランジスタの入力端は、前記一定のハイレベル電圧を入力し、前記第１２スイッチトランジスタの出力端は、前記第１３スイッチトランジスタの出力端及び前記第１４スイッチトランジスタの出力端にそれぞれ接続し、    
前記第１３スイッチトランジスタの制御端は、前記第１５スイッチトランジスタの制御端に接続し、前記第１３スイッチトランジスタの入力端は、前記第２の一定のローレベル電圧に接続し、    
前記第１４スイッチトランジスタの入力端は、前記第１スイッチトランジスタの出力端に接続し、    
前記第１５スイッチトランジスタの入力端は、前記第１の一定のローレベル電圧に接続し、前記第１５スイッチトランジスタの出力端は、前記プルアップモジュールの第２スイッチトランジスタの出力端に接続すること、を特徴とする請求項１０に記載の走査駆動回路。
【請求項１５】
前記第１の一定のローレベル電圧は、第２の一定のローレベル電圧より大きいこと、を特徴とする請求項１４に記載の走査駆動回路。
【請求項１６】
前記ブートストラップコンデンサは、前記第１スイッチトランジスタの出力端及び前記プルアップモジュールの第２スイッチトランジスタの出力端の間に設置されること、を特徴とする請求項１０に記載の走査駆動回路。
【請求項１７】
前記プルダウンモジュールは、第４スイッチトランジスタ及び第５スイッチトランジスタを含み、前記第４スイッチトランジスタの制御端は、前記次の２レベルのクロック信号を入力し、前記第４スイッチトランジスタの入力端は、前記プルアップ制御モジュールの第１スイッチトランジスタの出力端に接続し、前記第４スイッチトランジスタの出力端は、前記第５スイッチトランジスタの入力端に接続し、前記第５スイッチトランジスタの制御端は、前記次の２レベルの走査信号を入力し、前記第５スイッチトランジスタの出力端は、前記現在のレベルの走査信号を入力すること、を特徴とする請求項１０に記載の走査駆動回路。
【請求項１８】
前記プルダウン維持モジュールは、２つの交替作動する、第１プルダウン維持ユニット及び第２プルダウン維持ユニットを含む、特徴とする請求項９に記載の走査駆動回路。
【発明の詳細な説明】
【技術分野】
【０００１】
本発明は、表示駆動分野に関し、特に走査駆動回路に関する。
【背景技術】
【０００２】
Gate Driver On Array（GOA）は、従来の薄膜トランジスタ液晶表示装置のアレイ基板に走査駆動回路を作成し、走査線毎に対して走査する駆動方式を実現している。従来の走査駆動回路の構造は図１に示したように、上記走査駆動回路１０はプルアップ制御モジュール１０１、プルアップモジュール１０２、ダウンストリームモジュール１０３、プルダウンモジュール１０４、ブートストラップコンデンサ１０５及びプルダウン維持モジュール１０６を含む。
【０００３】
上記の走査駆動回路１０が高温状態で作動する時に、スイッチトランジスタの閾値電圧は負の値に移動し、これにより走査駆動回路１０の各モジュールのスイッチトランジスタに漏電が発生しやすいことから、上記走査駆動回路の安定性に影響を与えた。
【０００４】
これらの技術的問題を解決するために、走査駆動回路を提供する必要があった。
【発明の概要】
【発明が解決しようとする課題】
【０００５】
本発明は、従来の走査駆動回路において漏電が発生しやすいことが走査駆動回路の安定性に影響を与えるという問題を解決するために、漏電現象が軽くて安定性が高い走査駆動回路を提供することを目的とする。
【課題を解決するための手段】
【０００６】
上記の問題を解決するために、本発明の技術的特徴は以下の通りである。  
本発明の実施例では、カスケード接続された走査線の駆動操作を行うための走査駆動回路であって、  
前レベルのダウンストリーム信号を受信し、前レベルのダウンストリーム信号によって対応する前記走査線の走査レベル信号を生成するプルアップ制御モジュールと、  
前記走査レベル信号及び現在のレベルのクロック信号によって対応する前記走査線の走査信号をプルアップするプルアップモジュールと、  
次の２レベルのクロック信号及び次の２レベルの走査信号によって対応する前記走査線の走査信号をプルダウンするプルダウンモジュールと、  
対応する前記走査線の走査信号のローレベルを維持する、２つの交替作動する第１プルダウン維持ユニット及び第２プルダウン維持ユニットを含むプルダウン維持モジュールと、
次のレベルのプルアップ制御モジュールに現在のレベルのダウンストリーム信号を送信するダウンストリームモジュールと、及び、  
前記走査線の走査信号のハイレベルを生成するブートストラップコンデンサと、を含み、
前記プルアップ制御モジュールが走査レベル信号を生成する時に、前記プルアップ制御モジュール及び前記プルダウン維持モジュールは、一定のハイレベル電圧を使用して漏電現象の発生を防止し、前記プルダウンモジュールは、現在のレベルの走査信号を使用して漏電現象の発生を防止し、  
前記プルアップ制御モジュールは、第１スイッチトランジスタを含み、前記第１スイッチトランジスタの制御端は、前記前レベルのダウンストリーム信号を入力し、前記第１スイッチトランジスタの入力端は、前記一定のハイレベル電圧を入力し、前記第１スイッチトランジスタの出力端は、前記プルアップモジュールと、前記プルダウンモジュールと、前記プルダウン維持モジュールと、前記ダウンストリームモジュール及び前記ブートストラップコンデンサに接続する。
【０００７】
本発明の走査駆動回路において、前記プルアップモジュールは、第２スイッチトランジスタを含み、前記第２スイッチトランジスタの制御端は、前記プルアップ制御モジュールの第１スイッチトランジスタの出力端に接続し、前記第２スイッチトランジスタの入力端は、前記現在のレベルのクロック信号を入力し、前記第２スイッチトランジスタの出力端は、現在のレベルの走査信号を出力する。
【０００８】
本発明の走査駆動回路において、前記ダウンストリームモジュールは、第３スイッチトランジスタを含み、前記第３スイッチトランジスタの制御端は、前記プルアップ制御モジュールの第１スイッチトランジスタの出力端に接続し、前記第３スイッチトランジスタの入力端は、前記現在のレベルのクロック信号を入力し、前記第３スイッチトランジスタの出力端は、前記現在のレベルのダウンストリーム信号を出力する。
【０００９】
本発明の走査駆動回路において、前記プルダウンモジュールは、第４スイッチトランジスタ及び第５スイッチトランジスタを含み、前記第４スイッチトランジスタの制御端は、前記次の２レベルの走査信号を入力し、前記第４スイッチトランジスタの入力端は、前記プルアップ制御モジュールの第１スイッチトランジスタの出力端に接続し、前記第４スイッチトランジスタの出力端は、前記第５スイッチトランジスタの入力端に接続し、前記第５スイッチトランジスタの制御端は、前記次の２レベルのクロック信号を入力し、前記第５スイッチトランジスタの出力端は、前記現在のレベルの走査信号を入力すること、を特徴とする請求項１に記載の走査駆動回路。
【００１０】
本発明の走査駆動回路において、前記プルダウン維持モジュールは、第６スイッチトランジスタと、第７スイッチトランジスタと、第８スイッチトランジスタと、第９スイッチトランジスタと、第１０スイッチトランジスタと、第１１スイッチトランジスタと、第１２スイッチトランジスタと、第１３スイッチトランジスタと、第１４スイッチトランジスタ及び第１５スイッチトランジスタと、を含み、  
前記第６スイッチトランジスタの制御端は、前記一定のハイレベル電圧を入力し、前記第６スイッチトランジスタの入力端は、前記一定のハイレベル電圧を入力、前記第６スイッチトランジスタの出力端は、前記第７スイッチトランジスタの出力端と、前記第８スイッチトランジスタの制御端及び第１０スイッチトランジスタの制御端とにそれぞれ接続し、
前記第７スイッチトランジスタの制御端は、前記第１スイッチトランジスタの出力端及び前記第１１スイッチトランジスタの制御端にそれぞれ接続し、前記第７スイッチトランジスタの入力端は、第１の一定のローレベル電圧に接続し、  
前記第８スイッチトランジスタの入力端は、前記一定のハイレベル電圧を入力し、前記第８スイッチトランジスタの出力端は、前記第９スイッチトランジスタの出力端と、前記第１４スイッチトランジスタの制御端及び前記第１５スイッチトランジスタの制御端とにそれぞれ接続し、  
前記第９スイッチトランジスタの制御端は、前記第１スイッチトランジスタの出力端に接続し、前記第９スイッチトランジスタの入力端は、前記第１０スイッチトランジスタの出力端及び前記第１１スイッチトランジスタの出力端にそれぞれ接続し、  
前記第１０スイッチトランジスタの入力端は、前記一定のハイレベル電圧を入力し、  
前記第１１スイッチトランジスタの入力端は、第２の一定のローレベル電圧に接続し、  
前記第１２スイッチトランジスタの制御端は、前記第１スイッチトランジスタの出力端に接続し、前記第１２スイッチトランジスタの入力端は、前記一定のハイレベル電圧を入力し、前記第１２スイッチトランジスタの出力端は、前記第１３スイッチトランジスタの出力端及び前記第１４スイッチトランジスタの出力端にそれぞれ接続し、  
前記第１３スイッチトランジスタの制御端は、前記第１５スイッチトランジスタの制御端に接続し、前記第１３スイッチトランジスタの入力端は、前記第２の一定のローレベル電圧に接続し、  
前記第１４スイッチトランジスタの入力端は、前記第１スイッチトランジスタの出力端に接続し、  
前記第１５スイッチトランジスタの入力端は、前記第１の一定のローレベル電圧に接続し、前記第１５スイッチトランジスタの出力端は、前記プルアップモジュールの第２スイッチトランジスタの出力端に接続する。
【００１１】
本発明の走査駆動回路において、前記第１の一定のローレベル電圧は、第２の一定のローレベル電圧より大きい。
【００１２】
本発明の走査駆動回路において、前記ブートストラップコンデンサは、前記第１スイッチトランジスタの出力端及び前記プルアップモジュールの第２スイッチトランジスタの出力端の間に設置される。
【００１３】
本発明の走査駆動回路において、前記プルダウンモジュールは、第４スイッチトランジスタ及び第５スイッチトランジスタを含み、前記第４スイッチトランジスタの制御端は、前記次の２レベルのクロック信号を入力し、前記第４スイッチトランジスタの入力端は、前記プルアップ制御モジュールの第１スイッチトランジスタの出力端に接続し、前記第４スイッチトランジスタの出力端は、前記第５スイッチトランジスタの入力端に接続し、前記第５スイッチトランジスタの制御端は、前記次の２レベルの走査信号を入力し、前記第５スイッチトランジスタの出力端は、前記現在のレベルの走査信号を入力する。
【００１４】
本発明の走査駆動回路において、カスケード接続された走査線の駆動操作を行うための走査駆動回路であって、  
前レベルのダウンストリーム信号を受信し、前記前レベルのダウンストリーム信号によって対応する前記走査線の走査レベル信号を生成するプルアップ制御モジュールと、  
前記走査レベル信号及び現在のレベルのクロック信号によって、対応する前記走査線の走査信号をプルアップするプルアップモジュールと、
次の２レベルのクロック信号及び次の２レベルの走査信号によって対応する前記走査線の走査信号をプルダウンするプルダウンモジュールと、
対応する前記走査線の走査信号のローレベルを維持するプルダウン維持モジュールと、  
次のレベルのプルアップ制御モジュールに現在のレベルのダウンストリーム信号を送信するダウンストリームモジュールと、及び、
前記走査線の走査信号のハイレベルを生成するブートストラップコンデンサとを含み、  
前記プルアップ制御モジュールが走査レベル信号を生成する時に、前記プルアップ制御モジュール及び前記プルダウン維持モジュールは、一定のハイレベル電圧を使用して漏電現象の発生を防止し、前記プルダウンモジュールは、現在のレベルの走査信号を使用して漏電現象の発生を防止する。
【００１５】
本発明の走査駆動回路において、前記プルアップ制御モジュールは、第１スイッチトランジスタを含み、前記第１スイッチトランジスタの制御端は、前記前レベルのダウンストリーム信号を入力し、前記第１スイッチトランジスタの入力端は、前記一定のハイレベル電圧を入力し、前記第１スイッチトランジスタの出力端は、前記プルアップモジュールと、前記プルダウンモジュールと、前記プルダウン維持モジュールと、前記ダウンストリームモジュール及び前記ブートストラップコンデンサにそれぞれ接続する。
【００１６】
前記プルアップモジュールは、第２スイッチトランジスタを含み、前記第２スイッチトランジスタの制御端は、前記プルアップ制御モジュールの第１スイッチトランジスタの出力端に接続し、前記第２スイッチトランジスタの入力端は、前記現在のレベルのクロック信号を入力し、前記第２スイッチトランジスタの出力端は、現在のレベルの走査信号を入力する。
【００１７】
本発明の走査駆動回路において、前記ダウンストリームモジュールは、第３スイッチトランジスタと含み、前記第３スイッチトランジスタの制御端は、前記プルアップ制御モジュールの第１スイッチトランジスタの出力端に接続し、前記第３スイッチトランジスタの入力端は、前記現在のレベルのクロック信号を入力し、前記第３スイッチトランジスタの出力端は、前記現在のレベルのダウンストリーム信号を出力する。
【００１８】
本発明の走査駆動回路において、前記プルダウンモジュールは、第４スイッチトランジスタ及び第５スイッチトランジスタを含み、前記第４スイッチトランジスタの制御端は、前記次の２レベルの走査信号を入力し、前記第４スイッチトランジスタの入力端は、前記プルアップ制御モジュールの第１スイッチトランジスタの出力端に接続し、前記第４スイッチトランジスタの出力端は、前記第５スイッチトランジスタの入力端に接続し、前記第５スイッチトランジスタの制御端は、前記次の２レベルのクロック信号を入力し、前記第５スイッチトランジスタの出力端は、前記現在のレベルの走査信号を入力する。
【００１９】
本発明の走査駆動回路において、前記プルダウン維持モジュールは、第６スイッチトランジスタと、第７スイッチトランジスタと、第８スイッチトランジスタと、第９スイッチトランジスタと、第１０スイッチトランジスタと、第１１スイッチトランジスタと、第１２スイッチトランジスタと、第１３スイッチトランジスタと、第１４スイッチトランジスタ及び第１５スイッチトランジスタとを含み、  
前記第６スイッチトランジスタの制御端は、前記一定のハイレベル電圧を入力し、前記第６スイッチトランジスタの入力端は、前記一定のハイレベル電圧を入力し、前記第６スイッチトランジスタの出力端は、前記第７スイッチトランジスタの出力端と、前記第８スイッチトランジスタの制御端及び第１０スイッチトランジスタの制御端とにそれぞれ接続し、  
前記第７スイッチトランジスタの制御端は、前記第１スイッチトランジスタの出力端及び前記第１１スイッチトランジスタの制御端にそれぞれ接続し、前記第７スイッチトランジスタの入力端は、第１の一定のローレベル電圧に接続し、  
前記第８スイッチトランジスタの入力端は、前記一定のハイレベル電圧を入力し、前記第８スイッチトランジスタの出力端は、前記第９スイッチトランジスタの出力端と、前記第１４スイッチトランジスタの制御端及び前記第１５スイッチトランジスタの制御端に接続し、  
前記第９スイッチトランジスタの制御端、前記第１スイッチトランジスタの出力端に接続し、前記第９スイッチトランジスタの入力端は、前記第１０スイッチトランジスタの出力端及び前記第１１スイッチトランジスタの出力端にそれぞれ接続し、  
前記第１０スイッチトランジスタの入力端は、前記一定のハイレベル電圧を入力し、  
前記第１１スイッチトランジスタの入力端は、第２の一定のローレベル電圧に接続し、  
前記第１２スイッチトランジスタの制御端は、前記第１スイッチトランジスタの出力端に接続し、前記第１２スイッチトランジスタの入力端は、前記一定のハイレベル電圧を入力し、前記第１２スイッチトランジスタの出力端は、前記第１３スイッチトランジスタの出力端及び前記第１４スイッチトランジスタの出力端にそれぞれ接続し、  
前記第１３スイッチトランジスタの制御端は、前記第１５スイッチトランジスタの制御端に接続し、前記第１３スイッチトランジスタの入力端は、前記第２の一定のローレベル電圧に接続し、  
前記第１４スイッチトランジスタの入力端は、前記第１スイッチトランジスタの出力端に接続し、  
前記第１５スイッチトランジスタの入力端は、前記第１の一定のローレベル電圧に接続し、前記第１５スイッチトランジスタの出力端は、前記プルアップモジュールの第２スイッチトランジスタの出力端に接続する。
【００２０】
本発明の走査駆動回路において、前記第１の一定のローレベル電圧は、第２の一定のローレベル電圧より大きい。
【００２１】
本発明の走査駆動回路において、前記ブートストラップコンデンサは、前記第１スイッチトランジスタの出力端及び前記プルアップモジュールの第２スイッチトランジスタの出力端の間に設置される。
【００２２】
本発明の走査駆動回路において、前記プルダウンモジュールは、第４スイッチトランジスタ及び第５スイッチトランジスタを含み、前記第４スイッチトランジスタの制御端は、前記次の２レベルのクロック信号を入力し、前記第４スイッチトランジスタの入力端は、前記プルアップ制御モジュールの第１スイッチトランジスタの出力端に接続し、前記第４スイッチトランジスタの出力端は、前記第５スイッチトランジスタの入力端に接続し、前記第５スイッチトランジスタの制御端は、前記次の２レベルの走査信号を入力し、前記第５スイッチトランジスタの出力端は、前記現在のレベルの走査信号を入力する。
【００２３】
本発明の走査駆動回路において、前記プルダウン維持モジュールは、２つの交替作動する、第１プルダウン維持ユニット及び第２プルダウン維持ユニットを含む。
【発明の効果】
【００２４】
既存のスキャン駆動回路とは異なり、プルアップ制御モジュール、プルダウン維持モジュール及びプルダウンモジュールを設定することにより、本発明のスキャン駆動回路は漏電現象を回避して、 走査駆動回路の信頼性。 本発明は既存の走査駆動回路の漏れ現象を容易に解決し、走査駆動回路の信頼性に影響を与える。
【図面の簡単な説明】
【００２５】
【図１】従来の走査駆動回路の構造を示す図である。
【図２】本発明の走査駆動回路の第１の実施例の構造を示す図である。
【図３】本発明の走査駆動回路の第１の実施例の信号波形図である。
【図４】本発明の走査駆動回路の第２の実施例の構造を示す図である。
【図５】本発明の走査駆動回路の第３の実施例の構造を示す図である。
【図６】本発明の走査駆動回路の第４の実施例の構造を示す図である。
【図７】本発明の走査駆動回路の第５の実施例の構造を示す図である。
【発明を実施するための形態】
【００２６】
以下、各図を参照しながら本発明の実施可能な特定実施例について説明する。本発明における方向を表す用語、例えば、「上」、「下」、「前」、「後」、「左」、「右」、「内」、「外」、「側面」等は、図面における方向を示すだけである。よって、使用する方向用語は、本発明を説明及び理解するためのものであり、本発明を限定するものではない。
【００２７】
各図において、構造が相似している単位は同一の符号で表す。    
図２に示すように、図２は本発明の走査駆動回路の第１の実施例の構造を示す図である。本実施例の走査駆動回路２０は、プルアップ制御モジュール２０１と、プルアップモジュール２０２と、プルダウンモジュール２０３と、プルダウン維持モジュール２０４と、ダウンストリームモジュール２０５及びブートストラップコンデンサ２０６とを含む。プルアップ制御モジュール２０１は、前レベルのダウンストリーム信号ST(N-１)を受信し、前レベルのダウンストリーム信号ST(N-１)により対応する走査線の走査レベル信号Q(N)を生成する。プルアップモジュール２０２は、走査レベル信号Q(N)及び現在のレベルのクロック信号CK(n)により、対応する走査線の走査信号G(N)をプルアップする。プルダウンモジュール２０３は、次の２レベルのクロック信号CK(n+２)及び次の２レベルの走査信号G(N+２)により、対応する走査線の走査信号G(N)をプルダウンする。プルダウン維持モジュール２０４は、対応する走査線の走査信号G(N)のローレベルを維持させる。ダウンストリームモジュール２０５は、次のレベルのプルアップ制御モジュールへ現在のレベルのダウンストリーム信号ST(N)を送信する。ブートストラップコンデンサ２０６は、生成走査線の走査信号G(N)のハイレベルを生成する。
【００２８】
プルアップ制御モジュール２０１は、第１スイッチトランジスタT１１を含み、第１スイッチトランジスタT１１の制御端は、前レベルのダウンストリーム信号ST(N-１)を入力し、第１スイッチトランジスタT１１の入力端は、一定のハイレベル電圧DCHを入力し、第１スイッチトランジスタT１１の出力端は、プルアップモジュール２０２、プルダウンモジュール２０３、プルダウン維持モジュール２０４、ダウンストリームモジュール２０５及びブートストラップコンデンサ２０６とそれぞれ接続する。
【００２９】
プルアップモジュール２０２は、第２スイッチトランジスタT２１を含み、第２スイッチトランジスタT２１の制御端は、プルアップ制御モジュールの第１スイッチトランジスタT１１の出力端に接続し、第２スイッチトランジスタT２１の入力端は、現在のレベルのクロック信号CK(n)を入力し、第２スイッチトランジスタT２１の出力端は、現在のレベルの走査信号G(N)を出力する。    
ダウンストリームモジュール２０５は、第３スイッチトランジスタT２２を含み、第３スイッチトランジスタT２２の制御端は、プルアップ制御モジュール２０１の第１スイッチトランジスタT１１の出力端に接続し、第３スイッチトランジスタT２２の入力端は、現在のレベルのクロック信号CK(n)を入力し、第３スイッチトランジスタT２２の出力端は現在のレベルのダウンストリーム信号ST(N)を出力する。
【００３０】
プルダウンモジュール２０３は、第４スイッチトランジスタT４１１及び第５スイッチトランジスタT４１２を含み、第４スイッチトランジスタT４１１の制御端は、次の２レベルの走査信号G(N+２)を入力し、第４スイッチトランジスタT４１１の入力端は、プルアップ制御モジュールの第１スイッチトランジスタT１１の出力端に接続し、第４スイッチトランジスタT４１１の出力端は、第５スイッチトランジスタT４１２の入力端に接続し、第５スイッチトランジスタT４１２の制御端は、次の２レベルのクロック信号CK(n+２)を入力し、第５スイッチトランジスタT４１２の出力端は、現在のレベルの走査信号G(N)を入力する。
【００３１】
プルダウン維持モジュール２０４は、第６スイッチトランジスタT５１と、第７スイッチトランジスタT５２と、第８スイッチトランジスタT５３と、第９スイッチトランジスタT５４と、第１０スイッチトランジスタT７３と、第１１スイッチトランジスタT７４と、第１２スイッチトランジスタT７５と、第１３スイッチトランジスタT７６と、第１４スイッチトランジスタT４２及び第１５スイッチトランジスタT３２を含む。
【００３２】
第６スイッチトランジスタT５１の制御端は、一定のハイレベル電圧DCHを入力し、第６スイッチトランジスタT５１の入力端は、一定のハイレベル電圧DCHを入力し、第６スイッチトランジスタT５１の出力端は、第７スイッチトランジスタT５２の出力端、第８スイッチトランジスタT５３の制御端及び第１０スイッチトランジスタT７３の制御端にそれぞれ接続する。
【００３３】
第７スイッチトランジスタT５２の制御端は、第１スイッチトランジスタT１１の出力端及び第１１スイッチトランジスタT７４の制御端にそれぞれ接続し、第７スイッチトランジスタT５２の入力端は、第１の一定のローレベル電圧VSS１に接続する。
【００３４】
第８スイッチトランジスタT５３の入力端は、一定のハイレベル電圧DCHを入力し、第８スイッチトランジスタT５３の出力端は、第９スイッチトランジスタT５４の出力端、第１４スイッチトランジスタT４２の制御端及び第１５スイッチトランジスタT３２の制御端にそれぞれ接続する。
【００３５】
第９スイッチトランジスタT５４の制御端は、第１スイッチトランジスタT１１の出力端に接続し、第９スイッチトランジスタT５４の入力端は第１０スイッチトランジスタT７３の出力端及び第１１スイッチトランジスタT７４の出力端にそれぞれ接続する。
【００３６】
第１０スイッチトランジスタT７３の入力端は、一定のハイレベル電圧DCHを入力し、第１１スイッチトランジスタT７４の入力端は、第２の一定のローレベル電圧DCLに接続する。
【００３７】
第１２スイッチトランジスタT７５の制御端は、第１スイッチトランジスタT１１の出力端に接続し、第１２スイッチトランジスタT７５の入力端は、一定のハイレベル電圧DCHを入力し、第１２スイッチトランジスタT７５の出力端は、第１３スイッチトランジスタT７６の出力端及び第１４スイッチトランジスタT４２の出力端にそれぞれ接続する。
【００３８】
第１３スイッチトランジスタT７６の制御端は、第１５スイッチトランジスタT３２の制御端に接続し、第１３スイッチトランジスタT７６の入力端は、第２の一定のローレベルの電圧DCLに接続する。
【００３９】
第１４スイッチトランジスタT４２の入力端は、第１スイッチトランジスタT１１の出力端に接続する。
【００４０】
第１５スイッチトランジスタT３２の入力端は、第１の一定のローレベル電圧VSS１に接続し、第１５スイッチトランジスタT３２の出力端は、プルアップモジュール２０２の第２スイッチトランジスタT２１の出力端に接続する。    
ブートストラップコンデンサ２０６は、第１スイッチトランジスタT１１の出力端とプルアップモジュール２０２の第２スイッチトランジスタT２１の出力端との間に設置される。
【００４１】
図２和図３に示すように、図３は、本発明の走査駆動回路の第１の実施例の信号波形図である。この好ましい実施例の走査駆動回路を使用する時に、起動信号STVにより走査駆動回路を起動し、前レベルのダウンストリーム信号ST(N-１)がハイレベルである場合、第１スイッチトランジスタT１１が導通され、一定のハイレベル電圧DCHが第１スイッチトランジスタT１１により、ブートストラップコンデンサ２０６を充電することで、参考点Q(N)が比較的に高いレベルに上昇する。次に、前レベルのダウンストリーム信号ST(N-１)がローレベルになり、第１スイッチトランジスタT１１が切断され、参考点Q(N)がブートストラップコンデンサ２０６により比較的に高いレベルに維持され、且つ第２スイッチトランジスタT２１と第３スイッチトランジスタT２２とが導通される。    
次に、現在のレベルのクロック信号CK(n)がハイレベルになり、クロック信号CK(n)が、第２スイッチトランジスタT２１により、続いてブートストラップコンデンサ２０６を充電することで、参考点Q(N)がさらに高いレベルに到達し、現在のレベルの走査信号G(N)及び現在のレベルのダウンストリーム信号ST(N)もハイレベルになる。
【００４２】
この際、参考点Q(N)はハイレベル状態であり、第１スイッチトランジスタT１１の入力端は、一定のハイレベル電圧DCHに接続するため、参考点Q(N)が第１スイッチトランジスタT１１による漏電現象が発生しない。
【００４３】
また、第７スイッチトランジスタT５２と、第９スイッチトランジスタT５４と、第１１スイッチトランジスタT７４及び第１２スイッチトランジスタT７５が導通されているため、参考点P(N)がローレベル状態であるので、第１４スイッチトランジスタT４２は切断状態であり、一定のハイレベル電圧DCHが第１２スイッチトランジスタT７５により、第１４スイッチトランジスタT４２の出力端に接続するため、参考点Q(N)も第１４スイッチトランジスタT４２による漏電現象を発生しない。
【００４４】
また、第４スイッチトランジスタT４１１と第５スイッチトランジスタT４１２は切断状態であるが、第５スイッチトランジスタT４１２の出力端が現在のレベルの走査信号G(N)を入力し、この際当該現在のレベルの走査信号G(N)はハイレベル状態であるため、参考点Q(N)も第４スイッチトランジスタT４１１と第５スイッチトランジスタT４１２による漏電現象を発生しない。
【００４５】
従って、本実施例の走査駆動回路２０がハイレベル状態である時、第１スイッチトランジスタT１１と、第１４スイッチトランジスタT４２と、第４スイッチトランジスタT４１１及び第５スイッチトランジスタT４１２による漏電現象が発生しないので、走査駆動回路２０の安定性を高める。
【００４６】
次の２レベルの走査信号G(N+２)及び次の２レベルのクロック信号CK(n+２)がハイレベルである時、第４スイッチトランジスタT４１１及び第５スイッチトランジスタT４１２が導通し、同時に現在のレベルの走査信号G(N)がローレベルであり、参考点Q(N)はプルダウンモジュールにより放電する。また、第７スイッチトランジスタT５２切断されているため、参考点P(N)は第６スイッチトランジスタT５１と第８スイッチトランジスタT５３の作用によりハイレベルになり、この際、第１３スイッチトランジスタT７６と第１４スイッチトランジスタT４２が導通され、参考点Q(N)が第１４スイッチトランジスタT４２、第１３スイッチトランジスタT７６により第２一定のローレベル電圧DCLに接続し、これにより参考点Q(N)の低電位を確保してローレベルの現在のレベルの走査信号G(N)に対して維持作用を果たしている。
【００４７】
便利に駆動回路を解析するために、好ましくは第１の一定の低レベル電圧VSS1は、第２の一定の低レベル電圧DCLよりも大きく設定され、駆動回路２０中の各部を独立して制御し、実際の状況に応じて、第１の一定の低レベル電圧VSS1または第２の一定の低レベル電圧DCLの具体的な数値を設定する。
【００４８】
本発明の走査駆動回路はプルアップ制御モジュール、プルダウン維持モジュール及びプルダウンモジュールによる設定により、漏電現象の発生を回避し、走査駆動回路の安定性を高めることができる。
【００４９】
図４に示すように、図４は、本発明の走査駆動回路の第２実施例の構造を示す図である。本実施例の走査駆動回路は第１実施例に比べて、プルダウンモジュールの第４スイッチトランジスタT４１１の制御端に次の２レベルのクロック信号CK(n+２)を入力し、第４スイッチトランジスタT４１１の入力端は、プルアップ制御モジュールの第１スイッチトランジスタT１１の出力端に接続し、第４スイッチトランジスタT４１１の出力端は、第５スイッチトランジスタT４１２の入力端に接続し、第５スイッチトランジスタT４１２の制御端は、次の２レベルの走査信号G(N+２)に入力し、第５スイッチトランジスタT４１２の出力端は、現在のレベルの走査信号G(N)を入力する。
【００５０】
本実施例では、第１の実施例の走査駆動回路のプルダウンモジュールを変更することにより、第４のスイッチトランジスタと第５のスイッチトランジスタによる参考点Q（N）の漏電現象を防止するだけでなく、次の２レベルのクロック信号のインパルス信号が、現在のレベルの走査信号に影響を及ぼすことを回避することができる。
【００５１】
図５に示すように、図５は本発明の走査駆動回路の第３実施例の構造を示すである。第１実施例に基づいて、本実施例の走査駆動回路のプルダウン維持モジュールは、２つの交替作動する第１プルダウン維持ユニット５１及び第２プルダウン維持ユニット５２を含み、それぞれ電圧源LC１と電圧源LC２を介して第１プルダウン維持ユニット５１及び第２プルダウン維持ユニット５２を制御する。第１プルダウン維持ユニット５１和第２プルダウン維持ユニット５２の作動原理は、上記の第１実施例中のプルダウン維持モジュールの作動原理と同一であり、具体的には、上記の走査駆動回路の第１実施例の説明を参照されたい。
【００５２】
本実施例の走査駆動回路には、２つの交替作動するプルダウン維持ユニットが設置されることで、各プルダウン維持ユニットの電気感応力をうまく軽減することができ、走査駆動回路の長時間作動する時の安定性をさらに高めることができる。
【００５３】
図６に示すように、図６は、本発明の走査駆動回路の第４実施例の構造を示す図である。本実施例の走査駆動回路は第３実施例に比べると、プルダウンモジュールの第４スイッチトランジスタT４１１の制御端は、次の２レベルのクロック信号CK(n+２)を入力し、第４スイッチトランジスタT４１１の入力端は、プルアップ制御モジュールの第１スイッチトランジスタT１１の出力端に接続し、第４スイッチトランジスタT４１１の出力端は、第５スイッチトランジスタT４１２の入力端に接続し、第５スイッチトランジスタT４１２の制御端は、次の２レベルの走査信号G(N+２)を入力し、第５スイッチトランジスタT４１２の出力端は、現在のレベルの走査信号G(N)を入力する。
【００５４】
本実施例は第３実施例の走査駆動回路のプルダウンモジュールを変更することにより、第４スイッチトランジスタと第５スイッチトランジスタによる参考点Q(N)の漏電現象を防止するだけではなく、次の２レベルのクロック信号のインパルス信号が、現在のレベルの走査信号に影響を及ぼすことを回避することができる。
【００５５】
図７に示すように、図７は、本発明の走査駆動回路の第５実施例の構造を示す図である。本実施例の走査駆動回路は第１実施例に比べると、本実施例の走査駆動回路においては、ノードの共有をせず、（T５３の制御端とT７３の制御端には共有ノードがない）、いくつかの制御部材の増加にはなったが、本発明の走査駆動回路の安定性をさらに高める。
【００５６】
本発明の走査駆動回路は、プルアップ制御モジュールと、プルダウン維持モジュール及びプルダウンモジュールの設置により、避免漏電現象の発生を回避することができ、走査駆動回路の安定性を高めることができ、従来の走査駆動回路の漏電現象が発生しやすいことが走査駆動回路の安定性に影響を与える技術的問題を解決した。
【００５７】
上記より、本発明は好ましい実施例により開示されたが、上記の好ましい実施例は本発明を限定するものでなく、本発明の趣旨及び範囲を脱出しない限り、当業者であれば、様々な変更及び修飾を加えることができるため、本発明の保護範囲は、特許請求の範囲に基づくものである。
【図１】
0006340484.tif 000002
【図２】
0006340484.tif 000003
【図３】
0006340484.tif 000004
【図４】
0006340484.tif 000005
【図５】
0006340484.tif 000006
【図６】
0006340484.tif 000007
【図７】
0006340484.tif 000008